(57)【要約】      （修正有）【課題】登山靴のサイズや好みに応じてサイズの微調整を行うことができる使い勝手のよいアイゼンを提供する。【解決手段】ジョイント部３００の連結板３１０は、フロント爪部１００側の係止具３２０側から隙間を通し、次に、ヒール爪部２００側の固定具３３０の隙間を通し、固定穴及び連結板３１０の長穴に締結具を挿通して締め付けることで固定する。比較的サイズの大きな登山靴１２に取り付けるときは、連結板３１０の長穴の後側でヒール爪部２００を固定する。比較的サイズの小さな登山靴１２に取り付けるときは、連結板３１０の長穴の前側でヒール爪部２００を固定する。【選択図】図１
0003180959.tif 000002
【実用新案登録請求の範囲】
【請求項１】
登山靴に装着して使用するアイゼンであって、
前記登山靴の前側に取り付けるフロント爪部と、前記登山靴の踵側に取り付けるヒール爪部と、これらフロント爪部及びヒール爪部の間隔を調整可能に連結するジョイント部とを備えており、
前記ジョイント部は、前端が前記フロント部に係止され、後方側が前記ヒール爪部に固定される連結板を有しており、この連結板に長穴を設け、この長穴によって前記ヒール爪部との固定を行うことで、前記フロント爪部と前記ヒール爪部との間隔を微調整可能としたことを特徴とするアイゼン。
【請求項２】
使用状態において前記連結板が撓るようにするための開口を該連結板に設けたことを特徴とする請求項１記載のアイゼン。
【請求項３】
前記フロント爪部及び前記ヒール爪部の材料として、クロム・モリブデン鋼を使用したことを特徴とする請求項１又は２記載のアイゼン。
【考案の詳細な説明】
【技術分野】
【０００１】
本考案は、雪山登攀などの際に登山靴に装着して用いられるアイゼンに関し、特に登山靴の大きさに対応して調整可能なアイゼンの改良に関するものである。
【背景技術】
【０００２】
従来の調整機能付きのアイゼンとしては、例えば、下記特許文献１に記載のものがある。これは、アイゼンがフロント装着部とヒール装着部とに分離しており、両者の間隔調節を簡便にして登山靴への装着を容易にするとともに、軽量かつ登山時の負荷にも充分耐えることができるようにすることを目的としたもので、同文献の図１に示されているように、複数の爪６，６ａを設けたフロント装着部２とヒール装着部３とによって構成されている。そして、前記各装着部２，３にスライド可能に連結部材４が保持されており、連結部材４の一端側をフロント装着部２に係止させている。
【０００３】
連結部材４の他端側には複数の通し孔１４が設けられており、登山靴の寸法（サイズ）に適合するように、複数の通し孔１４の中から最適な通し孔１４を選択して、ヒール装着部３の接地側に設けた突起１５に係合させる。これにより、フロント装着部２とヒール装着部３とが連結・固定される構造となっている。
【先行技術文献】
【特許文献】
【０００４】
【特許文献１】特開2004-321490号公報
【考案の概要】
【考案が解決しようとする課題】
【０００５】
しかしながら、上述した背景技術では、連結部材４に設けた複数の通し孔１４の中から、使用する登山靴のサイズに見合った通し孔１４を選択しているが、登山靴のサイズは様々であり、ちょうど良い通し孔１４が見つかるとは限らない。利用者の好みもあることを考慮すると、フロント装着部２とヒール装着部３の間隔を微調整できると好都合である。
【０００６】
本考案は、以上のような点に着目したもので、サイズの微調整を行うことができる使い勝手のよいアイゼンを提供することを、その目的とする。
【課題を解決するための手段】
【０００７】
本考案は、登山靴に装着して使用するアイゼンであって、前記登山靴の前側に取り付けるフロント爪部と、前記登山靴の踵側に取り付けるヒール爪部と、これらフロント爪部及びヒール爪部の間隔を調整可能に連結するジョイント部とを備えており、前記ジョイント部は、前端が前記フロント部に係止され、後方側が前記ヒール爪部に固定される連結板を有しており、この連結板に長穴を設け、この長穴によって前記ヒール爪部との固定を行うことで、前記フロント爪部と前記ヒール爪部との間隔を微調整可能としたことを特徴とする。
【０００８】
主要な形態の一つは、使用状態において前記連結板が撓るようにするための開口を該連結板に設けたことを特徴とする。他の形態の一つは、前記フロント爪部及び前記ヒール爪部の材料として、クロム・モリブデン鋼を使用したことを特徴とする。本考案の前記及び他の目的，特徴，利点は、以下の詳細な説明及び添付図面から明瞭になろう。
【考案の効果】
【０００９】
本考案によれば、フロント爪部とヒール爪部の間隔を調整可能に連結するジョイント部の連結板に長穴を設け、この長穴によって前記ヒール爪部との固定を行うようにしたので、前記フロント爪部と前記ヒール爪部との間隔を微調整することができる。
【図面の簡単な説明】
【００１０】
【図１】本考案のアイゼンの実施例を示す斜視図である。
【図２】前記実施例のアイゼンの表裏を示す図である。
【図３】前記実施例のアイゼンの使用状態を示す図である。
【図４】前記実施例のアイゼンの試作品を示す図である。
【考案を実施するための形態】
【００１１】
以下、本考案を実施するための形態を、実施例に基づいて詳細に説明する。
【実施例１】
【００１２】
図１及び図２には、本考案の一実施例が示されており、図１は本実施例のアイゼンを登山靴に取り付けた状態を示す図，図２(A)はアイゼンを下側から見た図，図２(B)はアイゼンを上側から見た図である。これらの図に示すように、アイゼン１０は、登山靴１２の前側（つま先側）に取り付けるフロント爪部１００と、登山靴１２の後側（踵側）に取り付けるヒール爪部２００と、両者を連結するジョイント部３００とによって構成されている。
【００１３】
フロント爪部１００は、略馬蹄形であって、登山靴の形状に沿って変形した形状のフレーム１０２を中心に構成されている。フレーム１０２の先頭には、左右１対の爪１０４ａ，１０４ｂが前方に突出するように設けられており、その後方側面には、左右一対の爪１０６ａ，１０６ｂが下方に突出するように設けられており、後側には、左右一対の爪１０８ａ，１０８ｂが下方に突出するように設けられている。また、フレーム１０２の前側であって、前記爪１０４ａ，１０４ｂと爪１０６ａ，１０６ｂの間には、固定用バンド２０を挿通するためのバンド用リング１１０ａ，１１０ｂが、上方に突出するように、すなわち爪１０４ａ，１０４ｂ，１０６ａ，１０６ｂと反対の方向に、左右一対形成されている。更に、フレーム１０２の内側の開口は、雪の付着を防止するための防雪板１１２が複数の金具１１４によって取り付けられている。なお、防雪板１１２は、必要に応じて設ければよい。
【００１４】
次に、ヒール爪部２００は、略馬蹄形であって、登山靴の形状に沿って変形した形状のフレーム２０２を中心に構成されている。フレーム２０２の側方には、左右一対の爪２０４ａ，２０４ｂが下方に突出するように設けられており、後側には、左右一対の爪２０６ａ，２０６ｂが下方に突出するように設けられている。また、フレーム２０２の側方であって、前記爪２０６ａ，２０６ｂの近傍には、固定用ワイヤ２２を挿通するためのワイヤ用リング２１０ａ，２１０ｂが、上方に突出するように、すなわち爪２０６ａ，２０６ｂと反対の方向に形成されている。更に、フレーム２０２の内側の開口は、雪の付着を防止するための防雪板２１２が複数の金具２１４によって取り付けられている。なお、防雪板２１２は、必要に応じて設ければよい。ワイヤ用リング２１０ａ，２１０ｂに挿通された固定用ワイヤ２２の先端は、前記爪２０４ａ，２０４ｂの付根に設けられた穴２４ａ，２４ｂに挿通された後、穴２４ａ，２４ｂから抜けないように金具２６ａ，２６ｂが取り付けられる。
【００１５】
次に、ジョイント部３００は、長板状の連結板３１０と、その一方の端を前記フロント爪部１００にスライド自在に係止するための係止具３２０と、連結板３１０の他方の側を前記ヒール爪部２００に固定するための固定具３３０とによって構成されている。これらのうち、連結板３１０は、先端側に突起３１２が側方に突出するように形成されており、中央に、適宜の開口３１４が複数形成されている。図示の例では、開口３１４は円形となっているが、他の形状でもよい。連結板３１０は、強靭で弾性を有する材料で形成されているが、開口３１４を設けることで、全体が撓る（撓む）ようになる。このようにすることで、使用時における登山靴１２の変形にアイゼン１０の変形が追従するようになり、良好な使用感を得ることができる。前記連結板３１０の後側には、長穴３１６が形成されている。この長穴３１６の大きさは、通常想定される最大サイズ及び最小サイズの登山靴１２に対して、アイゼン１０のサイズを調整できる長さに設定されている。この長穴３１６を利用して、連結板３１０をヒール爪部２００の固定具３３０に固定するようになっている。
【００１６】
係止具３２０は、上述したフレーム１０２に設けられており、前記連結板３１０を挿通する隙間を有する係止片３２２ａ，３２２ｂによって構成されている。連結板３１０は、係止片３２２ａ，３２２ｂの順に挿通され、突起３１２が、係止片３２２ａに引っかかって係止されるようになっている。
【００１７】
固定具３３０は、上述したフレーム２０２に設けられており、前記連結板３１０を挿通する隙間を有する係止片３３２ａ，３３２ｂによって構成されている。連結板３１０は、係止片３３２ａ，３３２ｂの順に挿通される。また、フレーム２０２の係止片３３２ａ，３３２ｂの間であって、係止片３３２ａ，３３２ｂに挿通された連結板３１０の長穴３１６に対応する位置に、固定穴３３４が設けられている。この固定穴３３４及び連結板３１０の長穴３１６に、固定用のビス，ナット，座金などによる締結具３３６を挿通して締め付けることで、連結板３１０がフレーム２０２に固定されるようになっている。
【００１８】
上述したフロント爪部１００の爪１０４ａ，１０４ｂ，１０６ａ，１０６ｂ，１０８ａ，１０８ｂ，バンド用リング１１０ａ，１１０ｂ，ジョイント部３００の係止片３２２ａ，３２２ｂは、例えば、厚さ３ｍｍのクロム・モリブデン（Ｃｒ−Ｍｏ）鋼（ＪＩＳ鉄鋼ＳＣＭ）等の鋼板材で、フレーム１０２と一体に形成されている。また、ヒール爪部２００の爪２０４ａ，２０４ｂ，２０６ａ，２０６ｂ，ワイヤ用リング２１０ａ，２１０ｂ，ジョイント部３００の係止片３３２ａ，３３２ｂも、例えば、厚さ３ｍｍのクロム・モリブデン（Ｃｒ−Ｍｏ）鋼（ＪＩＳ鉄鋼ＳＣＭ）等の鋼板材で、フレーム２０２と一体に形成されている。防雪板１１２，２１２は、例えばプラスチックによって形成されており、連結板３１０は、例えばＳＫ５などの特殊鋼によって形成されている。
【００１９】
次に、本実施例の作用について、図３も参照しながら説明する。ジョイント部３００の連結板３１０は、フロント爪部１００側の係止具３２０側から隙間を通し、次に、ヒール爪部２００側の固定具３３０の隙間を通す。そして、登山靴１２のサイズに合わせ、固定穴３３４及び連結板３１０の長穴３１６に締結具３３６を挿通して締め付けることで、連結板３１０をヒール爪部２００に固定する。
【００２０】
図３には、サイズの異なる登山靴１２に本実施例のアイゼン１０を取り付けた状態が示されている。同図(A)は、比較的サイズの大きな登山靴１２に取り付けた場合の例で、ヒール爪部２００は、ジョイント部３００の連結板３１０の長穴３１６の後側で固定されている。同図(B)は、比較的サイズの小さい登山靴１２に取り付けた場合の例で、ヒール爪部２００は、ジョイント部３００の連結板３１０の長穴３１６の前側で固定されている。
【００２１】
アイゼン１０を登山靴１２に装着するときは、バンド２０をワイヤ２２に掛けるようにする。例えば、特開2008-35931号公報，同2000-175707号公報に開示されている方法で行う。図３(C)は、使用状態において、ジョイント部３００の連結板３１０が撓っている状態を示している。
【００２２】
このように、本実施例によれば、ジョイント部３００の連結板３１０の長穴３１６に対するヒール爪部２００の固定位置を調整することで、アイゼン１０のフロント爪部１００とヒール爪部２００の間隔を、登山靴１２のサイズや好みに応じて設定することができ、使い勝手が向上する。図４には、上記実施例のアイゼンの試作例が示されている。
【００２３】
なお、本考案は、上述した実施例に限定されるものではなく、本考案の要旨を逸脱しない範囲内において種々変更を加えることができる。例えば、以下のものも含まれる。
(1)前記実施例では、バンドを利用して靴にアイゼンを装着する例を示したが、ビンディングを用いるなど、多様な固定方法が知られており、いずれの方法としてもよい。フレームの形状，爪の数も同様である。
(2)前記実施例では、ジョイント部３００の連結板３１０に、撓み用の開口３１４と、固定位置調整用の長穴３１６を設けたが、連結板３１０として十分な強度を確保することができれば、開口３１４の代わりに長穴を設けるようにしてもよく、この長穴と、前記長穴３１６が連続してもよい。
【産業上の利用可能性】
【００２４】
本考案によれば、ジョイント部の連結板に長穴を形成し、この長穴に対するヒール爪部の固定位置を調整することとしたので、アイゼンのフロント爪部とヒール爪部の間隔を、登山靴のサイズや好みに応じて微調整することができ、使い勝手が向上するので、氷雪登山等に好適である。
【符号の説明】
【００２５】
１０：アイゼン
１２：登山靴
１４：孔
２０：固定用バンド
２２：固定用ワイヤ
２４ａ，２４ｂ：穴
２６ａ，２６ｂ：金具
１００：フロント爪部
１０２：フレーム
１０４ａ，１０４ｂ，１０６ａ，１０６ｂ，１０８ａ，１０８ｂ：爪
１１０ａ，１１０ｂ：バンド用リング
１１２，２１２：防雪板
１１４：金具
２００：ヒール爪部
２０２：フレーム
２０４ａ，２０４ｂ，２０６ａ，２０６ｂ：爪
２１０ａ，２１０ｂ：ワイヤ用リング
２１２：防雪板
２１４：金具
３００：ジョイント部
３１０：連結板
３１２：突起
３１４：開口
３１６：長穴
３２０：係止具
３２２ａ，３２２ｂ：係止片
３３０：固定具
３３２ａ，３３２ｂ：係止片
３３４：固定穴
３３６：締結具
【図１】
0003180959.tif 000003
【図２】
0003180959.tif 000004
【図３】
0003180959.tif 000005
【図４】
0003180959.tif 000006